【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
画像が形成される画像形成位置に向けて搬送されるシートの１面目及び２面目に画像を形成する画像形成手段と、
シートの搬送方向において前記画像形成位置より上流に設けられ、前記搬送方向に直交する幅方向にシートを移動させる移動手段と、
前記画像形成手段によって前記１面目に画像が形成されたシートの表裏を反転させて、前記画像形成位置に再度シートを搬送する再搬送手段と、
前記搬送方向にシートを案内する搬送路と、
前記画像形成位置よりも前記搬送方向における上流で、前記１面目に画像が形成されるシートの前記幅方向における端部の位置である第１位置と、前記２面目に画像が形成されるシートの前記幅方向における端部の位置である第２位置と、を検知する検知手段と、
前記１面目に画像を形成する際には、前記幅方向において基準位置からずれたシートを前記移動手段によって移動させず、前記２面目に画像が形成される際には、前記１面目への画像形成時に検知された前記第１位置及び前記２面目への画像形成時に検知された前記第２位置の両方に基づいて、前記１面目への画像形成時の前記画像形成位置における前記搬送路上のシートの前記幅方向における中心位置と前記２面目への画像形成時の前記画像形成位置における前記搬送路上のシートの前記幅方向における中心位置とが一致するように、前記基準位置からずれた位置に前記移動手段によってシートを前記幅方向に移動させるモードを実行する制御手段と、を備える、
ことを特徴とする画像形成装置。
【請求項２】
前記画像形成手段が設けられる装置本体と、
前記装置本体に対して装着及び引き出し可能に設けられ、シートを支持するシートカセットと、
前記装置本体に対して回動可能に設けられ、シートを支持する手差しトレイと、を備え、
前記制御手段は、シートが前記手差しトレイから給送される際に前記モードを実行し、シートが前記シートカセットから給送される際には前記モードを実行しない、
ことを特徴とする請求項１に記載の画像形成装置。
【請求項３】
前記制御手段は、前記手差しトレイからシートが給送された場合には、前記検知手段によって検知された前記第１位置と前記第２位置との差分に基づく量だけ、前記２面目に画像が形成されるシートを前記幅方向に移動させるように前記移動手段を制御する、
ことを特徴とする請求項２に記載の画像形成装置。
【請求項４】
前記画像形成手段は、画像を担持する像担持体と、前記像担持体に担持された画像をシートに転写する転写手段と、を有し、
前記像担持体に形成される２面目の画像の前記幅方向における中心は、前記像担持体に形成される１面目の画像の前記幅方向における中心と一致する、
ことを特徴とする請求項１乃至３のいずれか１項に記載の画像形成装置。
【請求項５】
前記検知手段は、前記搬送方向において前記移動手段より上流に配置されている、
ことを特徴とする請求項１乃至４のいずれか１項に記載の画像形成装置。
【請求項６】
前記移動手段は、シートの先端が当接してシートの斜行を補正する回転体対を有する、
ことを特徴とする請求項１乃至５のいずれか１項に記載の画像形成装置。
【請求項７】
前記基準位置は、前記幅方向においてシートの中心と前記搬送路の中心とが一致するようなシートの位置である、
ことを特徴とする請求項１乃至６のいずれか１項に記載の画像形成装置。
【請求項８】
前記画像形成手段は、像担持領域に画像を担持する像担持体と、前記像担持体に担持された画像をシートに転写する転写手段と、を有し、
前記幅方向において前記像担持領域の中心と前記搬送路の中心は一致する、
ことを特徴とする請求項７に記載の画像形成装置。
【請求項９】
画像が形成される画像形成位置に向けて搬送されるシートの１面目及び２面目に画像を形成する画像形成手段と、
シートの搬送方向において前記画像形成位置より上流に設けられ、前記搬送方向に直交する幅方向にシートを移動させる移動手段と、
前記画像形成手段によって前記１面目に画像が形成されたシートの表裏を反転させて、前記画像形成位置に再度シートを搬送する再搬送手段と、
前記搬送方向にシートを案内する搬送路と、
前記画像形成位置よりも前記搬送方向における上流で、前記１面目に画像が形成されるシートの前記幅方向における端部の位置である第１位置と、前記２面目に画像が形成されるシートの前記幅方向における端部の位置である第２位置と、を検知する検知手段と、
前記２面目に画像が形成される際には、前記１面目への画像形成時に検知された前記第１位置及び前記２面目への画像形成時に検知された前記第２位置の両方に基づいて、前記２面目への画像形成時の前記画像形成位置における前記搬送路上のシートの前記幅方向における中心位置が、前記幅方向における前記搬送路の中心とずれ且つ前記１面目への画像形成時の前記画像形成位置における前記搬送路上のシートの前記幅方向における中心位置と一致するように、前記移動手段によってシートを前記幅方向に移動させるモードを実行する制御手段と、を備える、
ことを特徴とする画像形成装置。
【請求項１０】
前記画像形成手段が設けられる装置本体と、
前記装置本体に対して装着及び引き出し可能に設けられ、シートを支持するシートカセットと、
前記装置本体に対して回動可能に設けられ、シートを支持する手差しトレイと、を備え、
前記制御手段は、シートが前記手差しトレイから給送される際に前記モードを実行し、シートが前記シートカセットから給送される際には前記モードを実行しない、
ことを特徴とする請求項９に記載の画像形成装置。
【手続補正２】
【補正対象書類名】明細書
【補正対象項目名】０００８
【補正方法】変更
【補正の内容】
【０００８】
本発明は、画像形成装置において、画像が形成される画像形成位置に向けて搬送されるシートの１面目及び２面目に画像を形成する画像形成手段と、シートの搬送方向において前記画像形成位置より上流に設けられ、前記搬送方向に直交する幅方向にシートを移動させる移動手段と、前記画像形成手段によって前記１面目に画像が形成されたシートの表裏を反転させて、前記画像形成位置に再度シートを搬送する再搬送手段と、前記搬送方向にシートを案内する搬送路と、前記画像形成位置よりも前記搬送方向における上流で、前記１面目に画像が形成されるシートの前記幅方向における端部の位置である第１位置と、前記２面目に画像が形成されるシートの前記幅方向における端部の位置である第２位置と、を検知する検知手段と、前記１面目に画像を形成する際には、前記幅方向において基準位置からずれたシートを前記移動手段によって移動させず、前記２面目に画像が形成される際には、前記１面目への画像形成時に検知された前記第１位置及び前記２面目への画像形成時に検知された前記第２位置の両方に基づいて、前記１面目への画像形成時の前記画像形成位置における前記搬送路上のシートの前記幅方向における中心位置と前記２面目への画像形成時の前記画像形成位置における前記搬送路上のシートの前記幅方向における中心位置とが一致するように、前記基準位置からずれた位置に前記移動手段によってシートを前記幅方向に移動させるモードを実行する制御手段と、を備える、ことを特徴とする。
【手続補正３】
【補正対象書類名】明細書
【補正対象項目名】０００９
【補正方法】変更
【補正の内容】
【０００９】
また、本発明は、画像形成装置において、画像が形成される画像形成位置に向けて搬送されるシートの１面目及び２面目に画像を形成する画像形成手段と、シートの搬送方向において前記画像形成位置より上流に設けられ、前記搬送方向に直交する幅方向にシートを移動させる移動手段と、前記画像形成手段によって前記１面目に画像が形成されたシートの表裏を反転させて、前記画像形成位置に再度シートを搬送する再搬送手段と、前記搬送方向にシートを案内する搬送路と、前記画像形成位置よりも前記搬送方向における上流で、前記１面目に画像が形成されるシートの前記幅方向における端部の位置である第１位置と、前記２面目に画像が形成されるシートの前記幅方向における端部の位置である第２位置と、を検知する検知手段と、前記２面目に画像が形成される際には、前記１面目への画像形成時に検知された前記第１位置及び前記２面目への画像形成時に検知された前記第２位置の両方に基づいて、前記２面目への画像形成時の前記画像形成位置における前記搬送路上のシートの前記幅方向における中心位置が、前記幅方向における前記搬送路の中心とずれ且つ前記１面目への画像形成時の前記画像形成位置における前記搬送路上のシートの前記幅方向における中心位置と一致するように、前記移動手段によってシートを前記幅方向に移動させるモードを実行する制御手段と、を備える、ことを特徴とする。